(57)【要約】【課題】システムパッケージの根幹となる演算処理データのデータシステムの共有化する必要がある。【解決手段】すべての人が共有化しやすい数字での演算処理データ、同一の演算処理データを基本として，（一例）プランを自由に組み込みシステム化する手段。【選択図】図２
2017123139.tif 000002
【特許請求の範囲】
【請求項１】
図１と図２に連動する、サンドイッチ監査法人システム連動
旅行と不動産と移動する為の車と宿泊する為の車コラボの余剰金産生システムソフトパッケージ
データプラン詳細情報公開データパッケージプログラム及びコンサルト本件開発システムプログラム
前記発明の内容に連動する、図１と図２と図３と図４と図５と明細書の内容のシステム、パッケージ、プログラム
（コントロールについては，単一の個人や単一の企業には存在しない。）
【請求項２】
オートメーション各国政府が取得する権利金９０％から、各国政府収入９０％の内、１０％〜２０％等出資等（１例）、ワールドボランティア旅行プロジェクト開発連動
請求項１の内容。本発明にかかる工業所有権の特許年金の無料化。
前記にかかるボランティア旅行プロジェクト２１世紀開発をになう
２１世紀の子どもたちへのおたより
大地（地球の）やすらぎとさらなる魅力を求めて大自然の中、大地のめぐみ、純白の光で金色にかがやく生命の神秘を探してみよう
人と人とのふれあい
その絆をとおして
【発明の詳細な説明】
【技術分野】
【０００１】本発明は、余剰金産生システムソフトパッケージデータプラン販売システムに関し、旅行と不動産と移動する為の車と宿泊する為の車コラボの余剰金産生システムソフトパッケージデータプラン詳細情報公開制のデータパッケージをプログラムし、
マネーのない人、及び、マネーの少い人等他のボランティア旅行を構築する為のボランティアホールディレグスを形成し、
同時に、サンドイッチ監査法人システム連動
旅行と不動産と移動する為の車と宿泊する為の車コラボの余剰金産生システムソフトパッケージデータプラン詳細情報公開データパッケージプログラム連動
コンサルト本件開発システムプログラム及び余剰金産生ソフトパッケージプラン販売システムに関する。
【背景技術】
【０００２】マネーのない人やマネーの少い人は、旅行になかなか行けないので・・・又、余剰金産生によるボランティア旅行もない。
【発明の概要】
【発明が解決しようとする課題】
【０００３】本発明は前記の点にかんがみてなされたもので、余剰金産生システムソフトパッケージを販売することにより、ボランティア旅行の環境を作り出し、社会福祉に貢献するためのボランティアホールディレグスを構築することを目的とする。
【課題を解決するための手段】
【０００４】上記課題を解決するため、本発明においては、多くの国の官民融合体ソフトパッケージ集積データロングランプランプログラムセンターを構成し、前記多くの官民融合体ソフトパッケージ集積データロングランプランプログラムセンターの紹介によってシステムソフトパッケージを購入した場合には、当該参加企業に対して、システムソフトパッケージ費用に応じて、余剰金分配金を支払う余剰金送金システム制を導入した。具体的には多くの国の官民融合体ソフトパッケージ集積データロングランプランに関する官民融合体ソフトパッケージ集積データ情報を記憶する
官民融合体ソフトパッケージ集積データ情報記憶手段と、前記官民融合体ソフトパッケージ集積データロングランプランプログラムセンターから紹介された参加企業の要求に応じてソフトパッケージ及びソフトパッケージプラン費用を計算する計算手段と、前記ソフトパッケージプラン費用に応じて前記参加企業ごとに余剰金分配金を計算する
余剰金分配金計算手段とによって、余剰金産生ソフトパッケージプラン販売システムを構成した。【０００５】前記余剰金分配金の他に、ロングランプランプログラムコンサルティングＣＯ（ホールディングス形成）を形成し、
１例として、４７都道府県の地方公共団体を中心的位置づけとする。
又、システムパッケージソフトパッケージ集積データセンターには、ＩＴ業者やエージェント総代理店等も参入する。
前記コンサルティングＣＯやソフトパッケージ集積データセンターは、必要時、国の最高議会の指定監査法人や、国民選択法人の監査を受ける。他、参加企業も特許法上の法人により監査を受ける。（ＴＫＣ等）ｅｔｃ
前記、最終的にオートメーション権利金を取得する各国政府が取得する権利金９０％から、各国政府本件収入９０％の内、１０％〜２０％出資等（１例）のＷｏｒｌｄボランティア旅行プロジェクトのホールディングスへＩＴ連結される。
連結された、Ｗｏｒｌｄボランティア旅行プロジェクト開発ホールディングスは，国連へプレゼントされ、国連へ吸収されることになる。
【発明の効果】
【０００６】生活力の弱い人の為のボランティア社会福祉旅行とともに世界的規模の経済発展と社会貢献が期待できる
【図面の簡単な説明】
【０００７】
【図１】旅行と不動産と移動するための車と宿泊する為の車コラボの余剰金産生システムソフトパッケージデータプラン詳細情報公開データパッケージプログラムロングランプランセンターを中心とするトータルネットワーク図。（一例）
【図２】システムソフトパッケージの参加企業へのＰＣ連動図。（一例）
【図３】官民融合体等ソフト集積データパッケージロングランプランププログラムセンター（一例）を中心としたトータル連絡システム全体図。（一例）
【図４】官民融合体等ソフト集積データパッケージロングランプランプログラムセンターへのエージェント派ケンシステム図。（一例）
【図５】官民融合体等ソフト集積データパッケージロングランプランプログラム開発コンサルティング組織図及び開示プログラム図。（一例）
【発明を実施するための形態】
【０００８】図１は，本発明の実施の形態の一例を示すブロック図であり、旅行と不動産と移動するための車と宿泊する為の車コラボの余剰金産生システムソフトパッケージデータプラン詳細情報公開データパッケージプログラムロングランプランプログラム官民融合体等（一例）センター（４５）は，ソフトパッケージ集積データを保有しており、
旅行と不動産と移動するための車と宿泊する為の車コラボの余剰金産生システムソフトパッケージデータプラン詳細情報公開データパッケージプログラムロングランプランプログラムコンサルティングＣＯ（４６）との間で相互に監査する。（一例）
又、１−Ａ〜１０−Ｊ等（一例）のシステムパッケージプランにも、通信回線（８８）を通じて、接続されている。
システムソフトパッケージプラン１−Ａ〜１０−Ｊ等（一例）は、旅行業者、不動産業者、不動産オーナー、関連業者、人で共有する。（一例）
そして、そのシステムソフトパッケージプラン１−Ａ〜１０−Ｊ等（一例）は、全参加企業（５１）に通信回線（７７）を通じて、接続され、
全参加企業（５１）が、システムソフトパッケージを選択し、購入することになる。（一例）
前記、ソフトパッケージを購入する全参加企業（５１）は、特許法上の監査人の監査（５０）を受けることになる。（一例）
次に旅行と不動産と移動するための車と宿泊する為の車コラボの余剰金産生システムソフトパッケージデータプラン詳細情報公開データパッケージプログラムロングランプランプログラムコンサルティングＣＯ（４６）は、
オートメーション各国政府が取得する権利金９０％から、各国政府収入９０％の内、１０％〜２０％出資等（一例）で形成されていくＷｏｒｌｄボランティア旅行プロジェクト（４７）開発に通信回線（９９）で接続され、相互に監査する。（一例）。前記、（４５）、（４６）、（５１）、（１−Ａ〜１０−Ｊ等）は必要に応じて、国の最高議会の指定監査法人（４８）や国民選択法人監査（４９）や国民選択法人監査（５２）等（一例）の監査を受ける。（一例）
尚、前記形態は、それぞれのプロジェクトにより、変更も可能であり、ソフトパッケージプランは、エージェントで保有する方法もある。
【０００９】図２は、官民融合体等（一例）ソフト集積データパッケージロングランプランプログラムセンター（４５）と参加企業（５１〜ａ〜５１−ｊ）等とＩＴで接続されたシステムソフトパッケージ（１−Ａ〜１０−Ｊ）を共有（見ることのできる）する為のシステムブロック図である。
【００１０】図３は、官民融合体等（一例）ソフト集積データパッケージロングランプランプログラムセンター（４５）を一セクションとして、システムパッケージ（１−Ａ〜１０−Ｊ）や参加企業（５１〜ａ〜５１〜ｊ）で共有しているシステムパッケージ（１−Ａ〜１０−Ｊ）の配分コントロールを無人化国有化官民融合体等（プロジェクト）等ソフト集積データパッケージロングランプランプログラムセンターロングランプランプログラム開発コンサルティングＣＯ（４６）のコントロール連絡調整のもと、（二セクション）として、
ボランティア旅行を開発するための余剰金産生パッケージを産生する為のパッケージ生産を二セクションの（４６）官民融合体等（一例）ソフト集積データパッケージロングランプランプログラムセンター（プロジェクト）ロングランプランプログラム開発コンサルティングＣＯや、三セクションの（４７）Ｗｏｒｌｄボランティア旅行プロジェクト開発（三セクションは、いずれ現在の国連へ吸収）との間で、連絡調整しながら，システムパッケッジの配分コントロール指示がなされる為のトータル連絡ブロック全体図となっている。
（コントロール指示の中心は、各国政府（プロジェクト）となります。）
【００１１】図４は、官民融合体等（一例）ソフト集積データパッケージロングランプランプログラムセンター（４５）を４７都道府県プロジェクト区画整備されたロングランプログラムセンターへの官民融合体等（４５）ソフト集積データパッケージロングランプランプログラムセンターへエージェントを派遣するプログラムシステム。（一例）、各エージェントでシステムパッケージ保有する方法もある。（一例）
【００１２】図５は、官民融合体等（一例）ソフト集積データパッケージロングランプランプログラム開発無人化国有化コンサルティング組織のホールディングスプログラム。
【産業上の利用可能性】
【００１３】中、小  零細企業のかなりの発展が期待できるので有用です。
【符号の説明】
【００１４】４５．旅行と不動産と移動する為の車と宿泊する為の車コラボの余剰金産生システムソフトパッケージデータプラン詳細情報公開データパッケージプログラムロングランプランプログラム官民融合体等ソフトパッケージ集積データセンター
４６．旅行と不動産と移動する為の車と宿泊する為の車コラボの余剰金産生システムソフトパッケージデータプラン詳細情報公開データパッケージプログラムロングランプランプログラムコンサルティングＣＯ（無人化国有化）
４７．オートメーション各国政府が取得する権利金９０％から、各国政府収入９０％の内、１０％〜２０％出資等（一例）Ｗｏｒｌｄボランティア旅行プロジェクト開発（国連へプレゼント部分）
４８．必要時、国の最高議会の指定監査法人
４９．必要時、国民選択法人監査
５０．特許法上監査人（一例として、ＴＫＣ）
５１〜ａ〜５１〜ｊ  全参加企業（一部）
５２．必要時、国民選択法人監査
１−Ａ〜１０−Ｊ  システムソフトパッケージ（商品）
【図１】
2017123139.tif 000003
【図２】
2017123139.tif 000004
【図３】
2017123139.tif 000005
【図４】
2017123139.tif 000006
【図５】
2017123139.tif 000007